(57)【要約】【課題】画像形成装置の保守作業を円滑に行えるようにする手段を提供する。【解決手段】第１の回動部材と感光体ユニット保持部材とが係合され、かつ、感光体ユニット保持部材と装置本体部との係合が解除されると、第１の回動部材が第２の回動部材と一体となって回動して開口を開放するとともに、感光体ユニットを装置本体部から離間させ、第１の回動部材と感光体ユニット保持部材との係合が解除され、かつ、感光体ユニット保持部材と装置本体部とが係合されると、第１の回動部材が回動し、露光装置を感光体ユニットから離間させる。【選択図】        図１８
2020003588.tif 000002
【特許請求の範囲】
【請求項１】
感光体を備えた感光体ユニットと、前記感光体を露光する露光装置とを有する画像形成装置であって、
回転支点を有する装置本体部と、
前記露光装置を保持するとともに、前記装置本体部の回転支点に回動可能に支持され、前記装置本体部の開口を開閉する第１の回動部材と、
前記装置本体部と前記第１の回動部材との間に配置され、前記装置本体部の回転支点に回動可能に支持された第２の回動部材と、
前記感光体ユニットを保持するとともに、前記第２の回動部材に摺動可能に支持された感光体ユニット保持部材と、
前記第１の回動部材に設けられ、前記感光体ユニット保持部材と係合する第１の係合部と、
前記感光体ユニット保持部材に設けられ、前記装置本体部と係合する第２の係合部と、
を有し、
前記第１の回動部材と前記感光体ユニット保持部材とが前記第１の係合部で係合され、かつ、前記感光体ユニット保持部材と前記装置本体部との係合が前記第２の係合部で解除されると、前記第１の回動部材が前記第２の回動部材と一体となって回動して前記開口を開放するとともに、前記感光体ユニットを前記装置本体部から離間させ、
前記第１の回動部材と前記感光体ユニット保持部材との係合が前記第１の係合部で解除され、かつ、前記感光体ユニット保持部材と前記装置本体部とが前記第２の係合部で係合されると、前記第１の回動部材が回動し、前記露光装置を前記感光体ユニットから離間させることを特徴とする画像形成装置。
【請求項２】
請求項１に記載の画像形成装置において、
前記第２の回動部材の回動を規制する回動規制部を有し、
前記第１の回動部材と前記感光体ユニット保持部材との係合が前記第１の係合部で解除され、かつ、前記感光体ユニット保持部材と前記装置本体部との係合が前記第２の係合部で解除されると、前記第２の回動部材は、回動した前記第１の回動部材との間で回動可能になり、前記感光体ユニット保持部材が摺動可能な所定の位置において、前記回動規制部により回動が規制されることを特徴とする画像形成装置。
【請求項３】
請求項２に記載の画像形成装置において、
前記回動規制部は、
一端が前記第２の回動部材に回動可能に支持され、
前記感光体ユニット保持部材が摺動可能な所定の位置まで前記第２の回動部材が回動すると、自由端が装置本体部の係合部と係合して前記第２の回動部材の回動を規制することを特徴とする画像形成装置。
【請求項４】
請求項３に記載の画像形成装置において、
前記回動規制部は、
前記第１の回動部材と前記感光体ユニット保持部材とが前記第１の係合部で係合されているとき、前記第１の回動部材と当接して回動が規制され、
前記第１の回動部材と前記感光体ユニット保持部材との係合が前記第１の係合部で解除され、前記第１の回動部材が前記感光体ユニット保持部材に対して回動しているとき、回動可能になることを特徴とする画像形成装置。
【請求項５】
請求項２から請求項４のいずれか１項に記載の画像形成装置において、
前記装置本体部は、前記第１の回動部材および前記第２の回動部材を支持する回転軸を有し、
前記感光体ユニットは、前記回転軸方向と直交する媒体搬送方向に複数配列され、前記回転軸に接近する方向に所定の傾斜角で上方に傾斜した媒体搬送路に沿って配列され、
前記第２の回動部材は、回動した角度が前記傾斜角と略等しい角度になると、前記回動規制部で回動が規制されることを特徴とする画像形成装置。
【請求項６】
請求項２から請求項５のいずれか１項に記載の画像形成装置において、
前記装置本体部は、前面に形成された開口を開放する前面扉を有し、
前記第２の回動部材の回動が前記回動規制部で規制された状態で、前記感光体ユニット保持部材が前記装置本体部の前面方向に摺動されると、前記感光体ユニットが前記前面扉で開放された開口から前記装置本体部の外へ移動することを特徴とする画像形成装置。
【発明の詳細な説明】
【技術分野】
【０００１】
本発明は、開閉可能な上蓋を有する画像形成装置に関する。
【背景技術】
【０００２】
従来の画像形成装置は、装置上部の一辺を軸として回動可能な上蓋を設け、この上蓋の内面にＬＥＤ（Ｌｉｇｈｔ  Ｅｍｉｔｔｉｎｇ  Ｄｉｏｄｅ）ヘッドを有するＬＥＤヘッドアッセンブリを配置するとともに、装置の内部に、感光体ドラム、帯電部、現像部、トナーカートリッジを一体とした感光体ユニットを着脱可能に配置し、上蓋を閉じた状態においてＬＥＤヘッドの発光面が感光体ドラムを露光可能な位置に配するようにしている。また、画像形成装置としてのカラープリンタにおいては、複数色の現像剤を用いて画像形成するため、各色の現像剤毎に感光体ユニットおよびＬＥＤヘッドを装置本体または上蓋に記録媒体の搬送方向に並べて配置するようにしている（例えば、特許文献１参照）。
【先行技術文献】
【特許文献】
【０００３】
【特許文献１】特開２００７−６５１２５号公報
【発明の概要】
【発明が解決しようとする課題】
【０００４】
しかしながら、従来の技術においては、詰まった媒体の除去や感光体ユニットの交換等の保守作業を行う場合、回動部材としての上蓋を回動させて装置の開口部を開放して感光体ユニットを装置外に取り出す必要があり、その場合、取り出した感光体ユニットの置き場所が必要になる。また、装置の上方に障害物が存在することにより上蓋の回動角度に制限が生じる場合があり、この場合、上蓋から垂直下方向に突出した露光装置としてのＬＥＤヘッドが感光体ユニットと接触するなど、円滑な保守作業の妨げになるという問題がある。
本発明は、このような問題を解決することを課題とし、画像形成装置の保守作業を円滑に行えるようにすることを目的とする。
【課題を解決するための手段】
【０００５】
そのため、本発明は、感光体を備えた感光体ユニットと、前記感光体を露光する露光装置とを有する画像形成装置であって、回転支点を有する装置本体部と、前記露光装置を保持するとともに、前記装置本体部の回転支点に回動可能に支持され、前記装置本体部の開口を開閉する第１の回動部材と、前記装置本体部と前記第１の回動部材との間に配置され、前記装置本体部の回転支点に回動可能に支持された第２の回動部材と、前記感光体ユニットを保持するとともに、前記第２の回動部材に摺動可能に支持された感光体ユニット保持部材と、前記第１の回動部材に設けられ、前記感光体ユニット保持部材と係合する第１の係合部と、前記感光体ユニット保持部材に設けられ、前記装置本体部と係合する第２の係合部と、を有し、前記第１の回動部材と前記感光体ユニット保持部材とが前記第１の係合部で係合され、かつ、前記感光体ユニット保持部材と前記装置本体部との係合が前記第２の係合部で解除されると、前記第１の回動部材が前記第２の回動部材と一体となって回動して前記開口を開放するとともに、前記感光体ユニットを前記装置本体部から離間させ、前記第１の回動部材と前記感光体ユニット保持部材との係合が前記第１の係合部で解除され、かつ、前記感光体ユニット保持部材と前記装置本体部とが前記第２の係合部で係合されると、前記第１の回動部材が回動し、前記露光装置を前記感光体ユニットから離間させることを特徴とする。
【発明の効果】
【０００６】
このようにした本発明は、画像形成装置の保守作業を円滑に行えるようにすることができるという効果が得られる。
【図面の簡単な説明】
【０００７】
【図１】実施例における画像形成装置の構成を示す概略側断面図
【図２】実施例における画像形成装置本体および上蓋の構成を示す斜視図
【図３】実施例における上蓋の構成を示す分解斜視図
【図４】実施例における開閉カバーの斜視図
【図５】実施例における開閉カバーの説明図
【図６】実施例におけるガイドレールの斜視図
【図７】実施例におけるガイドレールの説明図
【図８】実施例におけるバスケットの斜視図
【図９】実施例におけるバスケットの説明図
【図１０】実施例におけるバスケットの説明図
【図１１】実施例における上蓋の閉塞状態を示す説明図
【図１２】実施例における上蓋の閉塞状態の支持部を示す説明図
【図１３】実施例における上蓋の回動状態を示す説明図
【図１４】実施例における開閉カバーの回動状態を示す説明図
【図１５】実施例における開閉カバーの回動状態の支持部を示す説明図
【図１６】実施例における開閉カバーおよびガイドレールの回動状態を示す説明図
【図１７】実施例における開閉カバーおよびガイドレールの回動状態の支持部を示す説明図
【図１８】実施例におけるバスケットの引き出し状態を示す説明図
【図１９】実施例におけるバスケットおよびガイドレールを示す説明図
【図２０】実施例におけるバスケットおよびガイドレールを示す説明図
【発明を実施するための形態】
【０００８】
以下、図面を参照して本発明による画像形成装置の実施例を説明する。
【実施例】
【０００９】
図１は実施例における画像形成装置の構成を示す概略側断面図である。
図１において、画像形成装置１００は、例えば電子写真方式のカラープリンタであり、媒体に画像を形成して印刷を行うものである。なお、図１の右側が画像形成装置１００の前面、左側が画像形成装置１００の後面となっている。
【００１０】
画像形成装置１００は、給紙カセット１０２と、ＩＤユニット１０３と、ＬＥＤ（Ｌｉｇｈｔ  Ｅｍｉｔｔｉｎｇ  Ｄｉｏｄｅ）ヘッド１３２と、転写ユニット１０４と、定着器１０５と、媒体堆積部１０６とを有している。
【００１１】
給紙カセット１０２は、媒体を積層して収容するものである。給紙カセット１０２に収容された媒体は給紙サブローラの回転により１枚ずつ分離されて送り出され、さらに給紙ローラ１１２により図中矢印Ａが示す媒体搬送方向へ搬送され、レジスト部１１３へ搬送される。
【００１２】
このレジスト部１１３は、媒体搬送方向における給紙ローラ１１２の下流に配置され、例えばレジストローラ対で構成されたものである。レジスト部１１３は、給紙ローラ１１２により搬送された媒体の先端の斜行を矯正し、転写ユニット１０４へ搬送する。
【００１３】
感光体ユニットとしてのＩＤユニット１０３は、像担持体としての感光体ドラム１３１、帯電部としての帯電ローラ、現像部としての現像ローラ、現像剤としてのトナーを収容するトナーカートリッジ等を一体としたものである。ＩＤユニット１０３は、回転可能な像担持体としての感光体ドラム１３１を備え、その感光体ドラム１３１にＬＥＤヘッド１３２により画像データに応じて選択的に露光することで静電潜像を形成し、その静電潜像にトナーを供給して可視像としてのトナー像（現像剤像）を形成する。
【００１４】
ＩＤ（イメージドラム）ユニット１０３は、媒体搬送方向においてレジスト部１１３の下流に４つ配列され、各色のトナー像を各感光体ドラム１３１に形成する。
【００１５】
露光装置としてのＬＥＤヘッド１３２は、ＩＤユニット１０３の感光体ドラム１３１と対向配置され、感光体ドラム１３１を露光するものである。ＬＥＤヘッド１３２は、後述する画像形成装置１００の上蓋に回動可能に設けられている。
【００１６】
転写ユニット１０４は、転写ベルト１４１と、転写ローラ１４２とを有し、ＩＤユニット１０３と対向配置されたものである。
転写ベルト１４１は、ＩＤユニット１０３の感光体ドラム１３１と対向配置され、回転することによりレジスト部１１３から搬送された媒体を定着器１０５へ搬送するものである。
【００１７】
転写ローラ１４２は、転写ベルト１４１を介してＩＤユニット１０３の感光体ドラム１３１と対向配置され、転写電圧が印加されることで媒体に、感光体ドラム１３１に形成されたトナー像を転写するものである。
【００１８】
本実施例では、４つのＩＤユニット１０３、およびそれぞれのＩＤユニット１０３に対向配置された転写ユニット１０４は、媒体搬送方向の上流から下流（画像形成装置１００の前面から後面）に向かって斜め上方に傾斜するように、画像形成装置１００の底辺に対して所定の傾斜角αを保持して配設されている。
【００１９】
定着器１０５は、媒体搬送方向における転写ユニット１０４の下流に配置され、媒体に転写されたトナー像を熱と圧力で定着させるものである。
媒体堆積部１０６は、排出ローラ部１１４で排出された媒体を堆積させるスタッカである。
【００２０】
このように構成された画像形成装置１００は、給紙カセット１０２に収容された媒体を給紙ローラ１１２およびレジスト部１１３により転写ユニット１０４へ搬送し、ＩＤユニット１０３の感光体ドラム１３１に形成されたトナー像を転写ローラ１４２により媒体に転写し、さらに定着器１０５で、媒体に転写されたトナー像を定着させてその媒体を媒体堆積部１０６へ排出して印刷を行う。
【００２１】
また、画像形成装置１００は、レジスト部１１３および転写ベルト１４１で形成される媒体搬送路が媒体搬送方向の上流から下流に向かって所定の傾斜角αを成すように斜め上方に傾斜して形成されている。
【００２２】
図２は実施例における画像形成装置本体および上蓋の構成を示す斜視図である。
図２において、画像形成装置１００は、装置本体部１と、上蓋２と、前面カバー４とを有している。
【００２３】
装置本体部１は、内部に、ＬＥＤヘッド１３２（図１参照）と、感光体ドラム、帯電部、現像部、およびトナーカートリッジを一体としたＩＤユニット１０３（図１参照）とを収容する空間が設けられている。また、装置本体部１の上部には、開口３が形成され、その一辺に上蓋２（図３に示す開閉カバー２０およびガイドレール４０）を回動可能に支持する回転支点としての回転軸（図１６に示す回転軸１ａ）が設けられている。
【００２４】
上蓋２は、装置本体部１の上面に形成された開口３を開放または閉塞するものであり、装置本体部１の上部の一辺に設けられた回転軸に回動可能に支持されたものである。この上蓋２は、図中矢印Ｂが示す回転軸方向に延在する回転軸を中心として回動することにより装置本体部１の上面に形成された開口３を開放または閉塞する。
【００２５】
前面扉としての前面カバー４は、上蓋２の自由端側（前面側）に設けられ、図中矢印Ｂが示す回転軸方向に延在する回転軸を中心として回動することにより、装置本体部１の前面に形成され開口３と繋がる開口を開放または閉塞するものである。したがって、前面カバー４を回動させて前面の開口を開放し、また上蓋２を回動させることにより、装置本体部１の前面および上面が開放され、操作者の画像形成装置１００内部の保守操作が容易になる。
【００２６】
図３は実施例における上蓋の構成を示す分解斜視図である。
図３において、蓋体としての上蓋２は、開閉カバー２０と、ガイドレール４０と、バスケット６０とにより構成されている。
【００２７】
第１の回動部材としての開閉カバー２０は、図２に示す画像形成装置１００の上部を形成するものであり、図１に示すＬＥＤヘッド１３２を保持するとともに、図２に示す装置本体部１の回転支点（図１６に示す回転軸１ａ）に回動可能に支持され、装置本体部１の開口３を開閉するものである。また、開閉カバー２０の上面には、媒体堆積部１０６が形成されている。
【００２８】
第２の回動部材としてのガイドレール４０は、図２に示す装置本体部１と開閉カバー２０との間に配置され、装置本体部１の回転支点（図１６に示す回転軸１ａ）に回動可能に支持されたものである。ガイドレール４０は、開閉カバー２０とは独立して回動可能に構成されている。
【００２９】
感光体ユニット保持部材としてのバスケット６０は、ＩＤユニット１０３を保持するとともに、ガイドレール４０に摺動（スライド）可能に支持されたものである。このバスケット６０は、図２の矢印Ｂが示す回転軸方向と直交する図３中矢印Ｃが示す摺動方向に摺動可能にガイドレール４０に支持されている。したがって、バスケット６０は、ガイドレール４０とともに回動することができるようになっている。
【００３０】
また、バスケット６０は、図２に示す装置本体部１と係合可能に構成されている。バスケット６０が装置本体部１と係合することにより、ガイドレール４０の回動を規制し、また装置本体部１との係合が解除されることにより、ガイドレール４０の回動の規制が解除される。
【００３１】
さらに、バスケット６０は、開閉カバー２０と係合可能に構成されている。バスケット６０は、開閉カバー２０と係合するとともに、装置本体部１と係合が解除されることにより、開閉カバー２０およびガイドレール４０とともに装置本体部１に対して回動可能になり、また開閉カバー２０との係合が解除され、装置本体部１と係合することにより、開閉カバー２０の独立した回動を可能にするとともに、ガイドレール４０の装置本体部１に対する回動を規制する。
【００３２】
図４は実施例における開閉カバーの斜視図、図５は実施例における開閉カバーの説明図である。
図４において、開閉カバー２０は、外装カバー２１と、インナープレート２２と、回転軸受け２３と、ＬＥＤヘッド１３２と、回転軸受け２５と、支持部２６と、ブラケット２７と、ロック部３０とを有している。
外装カバー２１は、図２に示す画像形成装置１００の上部の外装を形成するものである。
【００３３】
内部支持体としてのインナープレート２２は、外装カバー２１の内部および内面を形成するとともに、外装カバー２１を支持する部材である。インナープレート２２の端部には、回転軸受け２３が形成され、回転軸受け２３を中心に回動可能になっている。
回転軸受け２３は、図２に示す装置本体部１に設けられた回転軸に支持される部位であり、インナープレート２２および外装カバー２１を回動可能に支持するものである。回転軸受け２３は、回転軸方向における開閉カバー２０の両端部に設けられている。
【００３４】
ＬＥＤヘッド１３２は、ＩＤユニットの感光体ドラムを露光する露光装置であり、インナープレート２２の回転軸受け２５に回動可能に支持されたものである。
回転軸受け２５は、インナープレート２２に設けられたものであり、ＬＥＤヘッド１３２を回動可能に支持するものである。
【００３５】
支持部２６は、回動可能なインナープレート２２および外装カバー２１を支持するものであり、一端部がインナープレート２２に回動可能に軸支され、また他端部がブラケット２７に回動可能に支持されたものである。支持部２６は、２つの部材が摺動することにより伸縮可能に構成され、内部にバネ等の付勢部材で図中矢印Ｄが示す延伸方向に付勢されている。したがって、インナープレート２２および外装カバー２１は、支持部２６により、図２に示す装置本体部１から押し上げられるように付勢されて支持されている。
【００３６】
固定部としてのブラケット２７は、支持部２６を回動可能に支持するとともに、図２に示す装置本体部１に固定されるものである。
したがって、外装カバー２１は、装置本体部１に対して開方向に付勢されている。
また、ブラケット２７の端部（回転軸受け２３と反対側の端部）には、ガイドレール４０を保持する保持部として、図５（ｂ）に示すように、溝２８と、板バネ２９とが配置されている。
【００３７】
案内溝としての溝２８は、Ｕ字状に形成された溝であり、図６に示すガイドレール４０の支持部材４５のポスト５０と係合するとともに、ポスト５０を摺動可能に案内するものである。
【００３８】
摺動規制部材としての板バネ２９は、ガイドレール４０のポスト５０を摺動可能に案内する溝２８の内部に突出するように折り曲げられたものである。板バネ２９は、折り曲げられた突出部２９ａで溝２８に侵入してきたポスト５０を溝２８の壁部（奥部）２８ａに押圧してポスト５０の摺動を規制する。
【００３９】
第１の係合部としてのロック部３０は、図３に示すガイドレール４０に支持されたバスケット６０と係合するものであり、バスケット６０と係合することにより、バスケット６０およびガイドレール４０を開閉カバー２０とともに回動させ、またバスケット６０との係合を解除することにより、開閉カバー２０をガイドレール４０およびバスケット６０から独立して回動できるようにするものである。
【００４０】
ロック部３０は、図５（ａ）に示すように、ハンドル部３１と、ハンドルシャフト３２と、フック３３とを有している。ハンドル部３１は、開閉カバー２０の自由端側に回転可能に支持されたハンドルシャフト３２に取り付けられたものである。また、フック３３は、ハンドルシャフト３２の左右の端部に取り付けられ、図３に示すガイドレール４０に支持されたバスケット６０と係合するものである。
【００４１】
したがって、ハンドル部３１を操作することにより、バスケット６０と係合したフック３３を回動させてバスケット６０との係合を解除することができるようになっている。
また、装置本体部１に対して開閉カバー２０を閉じる方向に回動させることにより、フック３３をバスケット６０と係合させることができるようになっている。
【００４２】
図６は実施例におけるガイドレールの斜視図、図７は実施例におけるガイドレールの説明図である。
図６において、ガイドレール４０は、回転軸受け４１と、ガイドレールベース４２と、レールプレート４３と、長孔４４と、支持部材４５とを有し、図３に示すバスケット６０を摺動可能に支持するものである。
【００４３】
回転軸受け４１は、図２に示す装置本体部１に設けられた回転軸であって図３に示す開閉カバー２０を支持する回転軸に支持される部位であり、ガイドレール４０を回動可能に支持するものである。回転軸受け４１は、回転軸方向におけるガイドレール４０の両端部に設けられている。
【００４４】
基体としてのガイドレールベース４２は、ガイドレール４０のフレームを形成する部材であり、ガイドレール４０全体を回動可能に支持する部材である。ガイドレールベース４２の一方の先端部に回転軸受け４１が形成されている。
レールプレート４３は、回転軸方向と直交する図中矢印Ｃが示す方向（摺動方向）におけるガイドレール４０の左右の両側部に設けられ、回転軸方向と直交する摺動方向に延在する部材であり、それぞれに２つの長孔４４が形成されたものである。
【００４５】
それぞれの長孔４４は、レールプレート４３に、回転軸方向と直交する摺動方向に延伸するように形成され、図３に示すバスケット６０と係合してバスケット６０を摺動方向に摺動可能に支持するものである。
支持部材４５は、摺動方向におけるガイドレール４０の左右の両側部であってガイドレールベース４２の外側に、回動可能に支持されて設けられた部材であり、図２に示す装置本体部１に対してガイドレールベース４２を支持するものである。
【００４６】
回動規制部としての支持部材４５は、ガイドレール４０の回動を規制するものであり、図７に示すように、回転軸受け４６と、ガイドポスト４８と、ポスト５０とを有している。
回転軸受け４６は、支持部材４５の一端部側に設けられ、摺動方向におけるガイドレール４０の左右の両側部のガイドレールベース４２に設けられた回転軸４７と嵌合し、ガイドレールベース４２に対して支持部材４５を回動可能にするものである。
【００４７】
ガイドポスト４８は、ガイドレールベース４２側に突出する突出部であり、ガイドレールベース４２に形成されたガイド溝４９と係合するものである。ガイド溝４９は円弧状に形成され、回転軸受け４６を中心として回動する支持部材４５の回転角を規制するものである。したがって、支持部材４５は、ガイドポスト４８がガイド溝４９の内部で移動できる範囲で回動が可能となる。
【００４８】
ポスト５０は、回転軸受け４６に対して反対側の支持部材４５の自由端側の端部に形成された突出部であり、ガイドレールベース４２の反対側に突出するものである。
ガイドレール４０のガイドレールベース４２が回転軸受け４１を中心として回動すると、ポスト５０が、図４および図５（ｂ）に示す開閉カバー２０の溝２８と係合し、さらに板バネ２９により溝２８の壁部２８ａに押圧されて溝２８から抜けないように保持され、ポスト５０の摺動が規制される。
【００４９】
このように、ポスト５０の摺動が規制されることにより、ガイドレール４０の回動が規制され、装置本体部１に対するガイドレール４０の回動方向における位置が保持される。
【００５０】
図８は実施例におけるバスケットの斜視図、図９および図１０は実施例におけるバスケットの説明図である。
図８において、バスケット６０は、ロック部６１と、仕切り板６５と、レールプレート６６と、ロックポスト６９とを有している。
【００５１】
第２の係合部としてのロック部６１は、図２に示す装置本体部１と係合するものであり、図９に示すように、ロックを解除するハンドル部６２と、ハンドルシャフト６３とを有している。
【００５２】
ハンドル部６２は、図２の矢印Ｂが示す回転軸方向と略平行するように配置されたハンドルシャフト６３に取り付けられ、ハンドルシャフト６３とともに回転するものである。
ハンドルシャフト６３は、バスケット６０の前方に回転可能に支持され、両端部にフック６４が取り付けられているものである。
したがって、ハンドル部６２を操作することにより、フック６４を回動させることができるようになっている。
【００５３】
ロック部６１のフック６４は、図２に示す装置本体部１に設けられたロックポストと係合して装置本体部１とバスケット６０とが一体になった状態を保持し、また、装置本体部１に設けられたロックポストとの係合を解除するとバスケット６０の装置本体部１からの離間（回動）を可能にする。
【００５４】
仕切り板６５は、図中矢印Ｃが示す摺動方向（図１および図２における画像形成装置１００の前後方向）に複数配列され、隣り合う仕切り板６５の間に各色のＩＤユニットを収容するものである。
【００５５】
レールプレート６６は、摺動方向におけるバスケット６０の左右の側端部にそれぞれ配設されたものであり、内側面に、図１０に示すように、２つのポスト６７と、２つの長孔６８とが設けられている。
【００５６】
それぞれのポスト６７は、図６に示すガイドレール４０のそれぞれの長孔４４と係合するものである。ポスト６７は、係合する長孔４４の範囲内で摺動可能になっている。したがって、それぞれのレールプレート６６は、ガイドレール４０に摺動可能に支持される。
【００５７】
それぞれの長孔６８は、それぞれのレールプレート６６に、図８中矢印Ｃが示す摺動方向に延伸するように形成され、摺動方向におけるバスケット６０の左右の側端面６０ａに形成されたポスト７０と係合するものである。それぞれの長孔６８がバスケット６０のそれぞれのポスト７０と係合することにより、それぞれのレールプレート６６が長孔６８の範囲内でバスケット６０に対して摺動可能になる。
したがって、バスケット６０は、レールプレート６６を介して図６に示すガイドレール４０に摺動可能に支持されている。
【００５８】
ロックポスト６９は、摺動方向におけるバスケット６０の左右の側端面６０ａに形成され、図４および図５に示す開閉カバー２０のロック部３０のフック３３と係合するものである。このロックポスト６９が、開閉カバー２０のロック部３０のフック３３と係合することにより、図３から図９に示す開閉カバー２０と、ガイドレール４０と、バスケット６０とが一体になる。
【００５９】
上述した構成の作用について説明する。
なお、画像形成装置の印刷動作の概要は上述したのでその説明を省略する。
画像形成装置の上蓋の作用を図１１〜図２０に基づいて説明する。
【００６０】
図１１は、実施例における上蓋の閉塞状態を示す説明図であり、図２に示す上蓋２が画像形成装置１００の開口３を閉塞した第１の状態を示している。
図１１に示すように、上蓋２が画像形成装置１００の開口を閉塞した第１の状態では、上蓋２を構成する開閉カバー２０は装置本体部と係合して開口を閉塞した状態を保持し、ガイドレール４０およびバスケット６０は、画像形成装置１００の内部に収容される。
【００６１】
このとき、図４および図５に示す開閉カバー２０のロック部３０のフック部３３は、図８および図９に示すバスケット６０のロックポスト６９と係合し、開閉カバー２０、ガイドレール４０、およびバスケット６０が一体となり、またバスケット６０のロック部６１のフック６４は、装置本体部１に設けられたロックポストと係合し、装置本体部１と、開閉カバー２０、ガイドレール４０、およびバスケット６０とが一体になった状態を保持する。
【００６２】
この第１の状態では、図１２に示すように、ガイドレール４０の支持部材４５の端部４５ａが開閉カバー２０のインナープレート２２と当接し、回転軸４７を中心とした支持部材４５の回動が規制されている。
即ち、開閉カバー２０とバスケット６０とがロック部６１で係合されているとき、ガイドレール４０の支持部材４５の端部４５ａが開閉カバー２０のインナープレート２２と当接し、支持部材４５は、回動が規制される。
【００６３】
この第１の状態において、前面カバー４で画像形成装置１００の前面の開口が閉塞された状態で、画像形成装置１００は印刷動作が可能となる。
【００６４】
次に、媒体搬送路において媒体の詰まり等が発生し、媒体を媒体搬送路から除去等する場合に、図２および図３に示す開閉カバー２０、ガイドレール４０、およびバスケット６０を一体として回動させて開口３を開放した第２の状態を説明する。
【００６５】
図１３は、実施例における上蓋の回動状態を示す説明図であり、開閉カバー２０、ガイドレール４０、およびバスケット６０を一体として回動させて開口３を開放する第２の状態を示している。
図１３に示すように、前面カバー４を回動させて前面の開口を開放し、バスケット６０のロック部６１を操作（図９に示すロック部６１のハンドル部６２を回動させる操作）することにより、フック６４と装置本体部１との係合を解除し、装置本体部１との係合が解除されると、開閉カバー２０は付勢された支持部２６により上方に押し上げられ、ガイドレール４０およびバスケット６０とともに回転軸１ａを中心に回動し、開口３を開放する。このとき、開閉カバー２０は、支持部２６の付勢力により上方に押し上げられた状態が保持される。
【００６６】
なお、このとき、図８および図９に示すバスケット６０のロックポスト６９は、図４および図５に示す開閉カバー２０のロック部３０のフック部３３と係合しているため、ガイドレール４０およびバスケット６０は開閉カバー２０と一体となって回動する。
【００６７】
このように、開閉カバー２０とバスケット６０とがロック部３０で係合され、かつ、バスケット６０と装置本体部１との係合がロック部６１で解除されると、開閉カバー２０がガイドレール４０およびバスケット６０と一体となって回動して装置本体部１の開口３を開放するとともに、ＩＤユニット１０３を装置本体部１から離間させ、ＩＤユニット１０３と装置本体部１との間に空間を形成する。
【００６８】
これにより、操作者は、開放された開口３および前面の開口から画像形成装置１００の内部の媒体搬送路に触手することができるようになり、媒体搬送路から詰まった媒体等を容易に除去することができるようになる。
【００６９】
また、本実施例では、媒体搬送路が媒体搬送方向の上流から下流（画像形成装置１００の前面から後面）に向かって所定の傾斜角を成すように斜め上方に傾斜して形成されているため、開放された開口３および前面の開口から画像形成装置１００の内部の媒体搬送路の視認が容易になり、操作者は保守作業を容易に行うことができる。
なお、第２の状態でも、図１２に示すように、ガイドレール４０の支持部材４５の端部４５ａが開閉カバー２０のインナープレート２２と当接し、回転軸４７を中心とした支持部材４５の回動が規制されている。
【００７０】
また、第２の状態から第１の状態に戻す場合、開閉カバー２０を押し下げてバスケット６０と装置本体部１とをロック部６１で係合させ、前面カバー４を回動させて前面の開口を閉塞させる。
次に、ＬＥＤヘッドの清掃等を行う場合に、図２および図３に示すガイドレール４０およびバスケット６０を装置本体部１と係合させた状態で、開閉カバー２０のみを回動させた第３の状態を説明する。
【００７１】
図１４は、実施例における開閉カバーの回動状態を示す説明図であり、開閉カバー２０のみを回動させる第３の状態を示している。
図１４に示すように、前面カバー４を回動させて前面の開口を開放し、開閉カバー２０のロック部３０を操作（図４および図５に示すロック部３０のハンドル部３１を回動させる操作）することにより、フック３３とバスケット６０のロックポスト６９との係合を解除し、バスケット６０との係合が解除されると、開閉カバー２０は付勢された支持部２６により上方に押し上げられて回転軸１ａを中心に回動する。このとき、開閉カバー２０は、支持部２６の付勢力により上方に押し上げられた状態が保持される。
【００７２】
なお、このとき、図８および図９に示すバスケット６０のロックポスト６９は、図４および図５に示す開閉カバー２０のロック部３０のフック部３３と係合していないため、ガイドレール４０およびバスケット６０は開閉カバー２０と一体となって回動することはない。また、バスケット６０のロック部６１のフック６４は装置本体部１に設けられたロックポストと係合しているため、ガイドレール４０およびバスケット６０は装置本体部１と係合した状態となっている。
【００７３】
このように、開閉カバー２０とバスケット６０との係合がロック部３０で解除され、かつ、バスケット６０と装置本体部１とがロック部６１で係合されると、開閉カバー２０のみが回動し、ＬＥＤヘッド１３２をＩＤユニット１０３から離間させ、ＬＥＤヘッド１３２とＩＤユニット１０３との間に空間を形成する。
これにより、操作者は、回動した開閉カバー２０に取り付けられたＬＥＤヘッド１３２を視認することができるとともに、ＬＥＤヘッド１３２に触手することができるようになり、ＬＥＤヘッド１３２を回動させて容易に清掃することができるようになる。
【００７４】
この第３の状態では、図１５に示すように、ガイドレール４０の支持部材４５の端部４５ａが、回動している開閉カバー２０のインナープレート２２と接触することがないため、回転軸４７を中心とした支持部材４５の回動が可能になる。
即ち、開閉カバー２０とバスケット６０との係合がロック部３０で解除され、開閉カバー２０がバスケット６０に対して回動しているとき、ガイドレール４０の支持部材４５は、回動可能になる。
【００７５】
また、第３の状態では、ＩＤユニット１０３は、回転軸１ａに接近する方向に所定の傾斜角（図１に示す傾斜角α）で傾斜した媒体搬送路に沿って配列されている状態である。
なお、第３の状態から第１の状態に戻す場合、開閉カバー２０を押し下げて開閉カバー２０とバスケット６０とをロック部３０で係合させ、前面カバー４を回動させて前面の開口を閉塞させる。
【００７６】
次に、ＩＤユニットの交換等を行う場合に、図１４に示す第３の状態からバスケット６０を摺動可能にした第４の状態を図１６から図２０を参照しながら説明する。
図１６は、実施例における開閉カバーおよびガイドレールの回動状態を示す説明図であり、バスケット６０を摺動可能にした第４の状態を示している。
【００７７】
図１４に示す第３の状態からバスケット６０の図９に示すロック部６１のハンドル６２を回転させ、フック６４と装置本体部１に設けられたロックポストとの係合を解除させてバスケット６０およびガイドレール４０を、既に回動している開閉カバー２０の方向へ押し上げて、図１６に示すように、バスケット６０が略水平となり、摺動可能な位置まで回転軸１ａを中心に回動させる。
【００７８】
このとき、開閉カバー２０は既に上方へ回動し、ガイドレール４０から離間しているため、ガイドレール４０の支持部材４５の端部４５ａは開閉カバー２０のインナープレート２２と接触することがなく、支持部材４５は回転軸４７を中心とした自由な回動が可能になる。
【００７９】
ガイドレール４０を回動させると、図１７に示すように、ガイドレール４０の回動に伴って支持部材４５が回転軸４７を中心として図中矢印Ｅが示す方向に回動し、支持部材４５の自由端に設けられたポスト５０が装置本体部に固定されたブラケット２７の溝２８に案内されて図中矢印Ｆが示す方向に移動し、板バネ２９を押し下げて突出部２９ａを越え、溝２８の壁部２８ａに当接して支持部材４５の回動が規制される。
【００８０】
即ち、支持部材４５は、バスケット６０が摺動可能な所定の位置までガイドレール４０が回動すると、自由端のポスト５０が装置本体部の係合部としてのブラケット２７の溝２８と係合してガイドレール４０の回動を規制する。
【００８１】
このように、支持部材４５の回動が規制されると、ガイドレール４０の回動も規制され、バスケット６０が略水平となる位置でガイドレール４０が装置本体部１に対して固定される。
【００８２】
本実施例では、ガイドレール４０は、図１４に示す第３の状態から回動した角度が、ＩＤユニット１０３が配置された傾斜角α（図１参照）と略等しい角度になると、バスケット６０が摺動可能な所定の位置に配置されたとして支持部材４５で回動が規制され、固定される。
【００８３】
バスケット６０が略水平となる位置でガイドレール４０の回動が規制され、装置本体部１に対して固定された第４の状態において、図１８に示すように、バスケット６０のロック部６１のハンドル６２を図中矢印Ｇが示す装置本体部１の前面方向に引くことにより、ＩＤユニット１０３を保持しているバスケット６０がガイドレール４０に対して摺動し、前面カバー４で開放された開口から装置本体の外へ移動する。
【００８４】
このとき、図１９に示すように、バスケット６０がガイドレール４０から引き出されていない状態から、図１８に示すように、バスケット６０をガイドレール４０から引き出すと、図２０に示すように、ガイドレール４０のレールプレート４３の長孔４４に係合しているバスケット６０のプレートレール６６のポスト６７が摺動し、長孔４４の端部に当接してプレートレール６６のそれ以上の摺動が規制される。
【００８５】
さらに、バスケット６０をガイドレール４０から引き出すと、バスケット６０の長孔６８に係合しているポスト７０が摺動し、長孔６８の端部に当接してバスケット６０のそれ以上の摺動が規制される。
【００８６】
このように、開閉カバー２０とバスケット６０との係合がロック部３０で解除され、かつ、バスケット６０と装置本体部１との係合がロック部６１で解除されると、ガイドレール４０は、回動した開閉カバー２０との間で回動可能になり、バスケット６０が摺動可能な所定の位置において、支持部材４５により回動が規制され、バスケット６０およびＩＤユニット１０３を装置本体部１の外へ引き出すことができるようになる。
【００８７】
これにより、操作者は、装置本体の外へ移動したバスケット６０に保持されたＩＤユニット１０３を視認することができるとともに、ＩＤユニット１０３に触手することができるようになり、ＩＤユニット１０３の交換等の保守作業を容易に行うことができるようになる。
【００８８】
なお、第４の状態から第３の状態に戻す場合、バスケット６０およびガイドレール４０を、装置本体部１の方向へ押し下げることにより、図１７に示す溝２８の壁部２８ａに当接していたポスト５０が溝２８から外れる方向へ摺動し、板バネ２９を押し下げて突出部２９ａを越え、支持部材４５の回動の規制が解除される。
【００８９】
このように本実施例では、媒体搬送路から詰まった媒体等を容易に除去する場合、開閉カバー２０とバスケット６０とをロック部３０で係合し、かつ、バスケット６０と装置本体部１との係合をロック部６１で解除し、開閉カバー２０をガイドレール４０とともに回動させてＩＤユニット１０３を装置本体部１から離間させた第２の状態にすることにより、操作者は、ＩＤユニット１０３を画像形成装置１００から取り外すことなく、開放された開口３および前面の開口から画像形成装置１００の内部の媒体搬送路に触手することができるようになり、媒体搬送路から詰まった媒体等を容易に除去することができるようになる。
【００９０】
また、印刷結果によりＬＥＤヘッド１３２が汚れていると判断した場合、開閉カバー２０とバスケット６０との係合をロック部３０で解除し、かつ、バスケット６０と装置本体部１とをロック部６１で係合し、開閉カバー２０のみを回動し、ＬＥＤヘッド１３２をＩＤユニット１０３から離間させた第３の状態にすることにより、操作者は、回動した開閉カバー２０に取り付けられたＬＥＤヘッド１３２を視認することができるとともに、ＬＥＤヘッド１３２に触手することができるようになり、ＬＥＤヘッド１３２を回動させて容易に清掃することができるようになる。
【００９１】
さらに、ＩＤユニット１０３の寿命等によりＩＤユニット１０３を交換等する場合、開閉カバー２０とバスケット６０との係合をロック部３０で解除し、かつ、バスケット６０と装置本体部１との係合をロック部６１で解除し、ガイドレール４０を、回動している開閉カバー２０との間で回動させ、バスケット６０が摺動可能な所定の位置において、支持部材４５によりガイドレール４０の回動を規制した第４の状態にすることにより、操作者は、ＩＤユニット１０３を画像形成装置１００から取り外すことなく、装置本体の外へ移動したバスケット６０に保持されたＩＤユニット１０３を視認することができるとともに、ＩＤユニット１０３に触手することができるようになり、ＩＤユニット１０３の交換等の保守作業を容易に行うことができるようになる。
【００９２】
また、開閉カバー２０を垂直になるまで回動させる必要がなくなり、画像形成装置１００の前面から保守作業を行うことができるようになる。したがって、画像形成装置１００の保守作業を行うために必要となる空間を少なくすることができる。特に、画像形成装置１００の上方に障害物が存在することにより開閉カバー２０の回動角度に制限が生じる場合の保守作業を円滑に行うことができるようにすることができる。
【００９３】
以上説明したように、本実施例では、ＩＤユニットを画像形成装置から取り外すことなく、画像形成装置の保守作業を円滑に行えるようにすることができるという効果が得られる。
【００９４】
また、媒体搬送路から詰まった媒体等を容易に除去する場合、ＩＤユニットを画像形成装置から取り外すことなく、媒体搬送路から詰まった媒体等を容易に除去することができるという効果が得られる。
さらに、印刷結果によりＬＥＤヘッドが汚れていると判断した場合、回動した開閉カバーに取り付けられたＬＥＤヘッドを容易に清掃することができるという効果が得られる。
【００９５】
また、ＩＤユニットの寿命等によりＩＤユニットを交換する場合、ＩＤユニットを画像形成装置から取り外すことなく、ＩＤユニットの交換等の保守作業を容易に行うことができるという効果が得られる。
さらに、画像形成装置の保守作業を行うために必要となる空間を少なくすることができるという効果が得られる。特に、画像形成装置の上方に障害物が存在することにより上蓋の回動角度に制限が生じる場合の保守作業を円滑に行うことができるという効果が得られる。
なお、本実施例では、画像形成装置をカラープリンタとして説明したが、それに限られるものでなく、モノクロプリンタ、複写機、ファクシミリ装置、複合機（ＭＦＰ）等としても良い。
【符号の説明】
【００９６】
１    装置本体部
２    上蓋
３    開口
４    前面カバー
２０  開閉カバー
２１  外装カバー
２２  インナープレート
２３、２５  回転軸受け
２６  支持部
２７  ブラケット
２８  溝
２９  板バネ
３０、６１  ロック部
３１、６２  ハンドル部
３２、６３  ハンドルシャフト
３３、６４  フック
４０  ガイドレール
４１、４６  回転軸受け
４２  ガイドレールベース
４３  レールプレート
４４、６８  長孔
４５  支持部材
４７  回転軸
４８  ガイドポスト
４９  ガイド溝
５０、６７、７０  ポスト
６０  バスケット
６６  レールプレート
６９  ロックポスト
１００  画像形成装置
１０３  ＩＤユニット
１３２  ＬＥＤヘッド
【図１】
2020003588.tif 000003
【図２】
2020003588.tif 000004
【図３】
2020003588.tif 000005
【図４】
2020003588.tif 000006
【図５】
2020003588.tif 000007
【図６】
2020003588.tif 000008
【図７】
2020003588.tif 000009
【図８】
2020003588.tif 000010
【図９】
2020003588.tif 000011
【図１０】
2020003588.tif 000012
【図１１】
2020003588.tif 000013
【図１２】
2020003588.tif 000014
【図１３】
2020003588.tif 000015
【図１４】
2020003588.tif 000016
【図１５】
2020003588.tif 000017
【図１６】
2020003588.tif 000018
【図１７】
2020003588.tif 000019
【図１８】
2020003588.tif 000020
【図１９】
2020003588.tif 000021
【図２０】
2020003588.tif 000022